(57)【要約】  【課題】  棚部材の取り扱いが容易であり、棚部材の面積が大きい場合にも、一人で取り出しや挿入をすることができる棚構造を提供する。  【解決手段】  環境試験器１は開口１５を有し、内部槽１０ａの内部には、複数の分割棚部材２５、２６からなる棚部材と、内部槽１０ａ内部に突出する棚部材支持部１２とが設けられている。分割棚部材２５，２６は板面が所定の面を形成するように棚部材支持部１２の上に載置され、分割棚部材２５、２６は開口１５から挿入可能であって挿入方向に配列している。分割棚部材２５，２６同士は連結可能である。この連結は、係合部材４０の傾斜部４２と凹部４５とを用いて行われるものであり、開口１５側の分割棚部材２５を挿入すると、奥側の分割棚部材２６の枠部３０の辺３０ａが、傾斜部４２により上動して凹部４５に嵌りこんで係合が行われる。【選択図】  図３
2005224294.tif 000002
【特許請求の範囲】
【請求項１】
開口を有する内部槽内に、複数の分割棚部材からなる棚部材と、内部槽に突出する棚部材支持部とが設けられており、前記分割棚部材が所定の面を形成するように棚部材支持部の上に載置される棚構造であって、
分割棚部材は開口から奥に向かって挿入可能であって挿入方向に配列し、隣接する分割棚部材と連結可能であり、隣接する２つの分割棚部材のうち奥側に配置される分割棚部材の開口側には奥側係合部が設けられ、隣接する２つの分割棚部材のうち開口側に配置される分割棚部材の奥側には開口側係合部が設けられ、
奥側係合部又は開口側係合部には傾斜部及び凹部が設けられ、開口側の分割棚部材を内部槽に挿入して奥側の分割棚部材に当接させると、前記傾斜部によっていずれかの係合部が上動又は下動して他方の係合部が前記凹部に入り、奥側係合部と開口側係合部との係合が行われることを特徴とする棚構造。
【請求項２】
他方の係合部は分割棚部材の縁に設けられた枠部であることを特徴とする請求項１に記載の棚構造。
【請求項３】
他方の係合部が前記凹部に入って係合が行われると、奥側係合部が開口側係合部の上側を押さえる状態となることを特徴とする請求項１又は２に記載の棚構造。
【請求項４】
突出部と傾斜部を有する係合部材が設けられており、前記係合部材は隣接する他の分割棚部材側に配置されており、前記突出部と分割棚部材の縁に設けられた枠部との間が凹部となって、奥側係合部又は開口側係合部を形成することを特徴とする請求項１〜３のいずれかに記載の棚構造。
【請求項５】
係合部材は上下方向に移動できることを特徴とする請求項４に記載の棚構造。
【請求項６】
係合部材は棚の下側に配置していることを特徴とする請求項４又は５に記載の棚構造。
【発明の詳細な説明】
【技術分野】
【０００１】
本発明は、内部槽が設けられた環境試験器やオーブンなどに設けられる棚構造に関するものである。
【背景技術】
【０００２】
部品や材料などの試料について、環境（温度、雰囲気など）条件に対する劣化や特性変化を調べるために、環境試験器などが用いられている。そして、環境試験器は所定の条件に保持することができる内部槽を有し、試料を内部槽に入れて試験が行われる。
【０００３】
このような試験を行う場合には、内部槽を所定の条件（温度、湿度、ガス濃度）とし、内部槽の中に試料を所定の時間入れて、試料の状態や変化などを調べる。
【０００４】
また、一度に多くの試料の試験を行う場合、試料を上下にも配置して複数の試料を同時に試験することがある。この場合には、内部槽の内部に棚を複数段設け、この棚の上に試料を配置して試験が行われる。
【０００５】
内部槽の棚の設置方法としては、内部槽の内部に突出する棚部材支持部を左右両側面に設け、その上に棚部材を載置する方法がある。
【発明の開示】
【発明が解決しようとする課題】
【０００６】
環境試験器で試験を行う試料の外形や大きさは様々なものが用いられることがある。この様な場合に効率よく使用可能とするため、内部槽の棚の上下方向の位置を変えることができるようにしている。また、複数試料の試験をする場合に、多数の棚を配置できるようにしている。具体的には、内部槽の棚板支持部を上下方向に複数の位置に設置可能とし、棚板支持部の位置の変更により棚板の位置を変更したり、棚を複数段設けたりしている。
【０００７】
このように、棚板の位置を変更する場合には、棚板を一旦手前に引き出し、目的の位置に棚板を挿入して作業が行われる。
【０００８】
また、奥行きの長い内部槽を持つ環境試験器では、奥に配置される試料の出し入れが、手が届きにくい、暗い等の理由により、困難である場合があり、試料の出し入れの際に、棚板を引き出して行うこともあった。
【０００９】
ところで、棚板は試料及び棚板自身の重量を支える強度が必要である。また、棚板の材質は、棚板の使用の際の劣化防止のため、ステンレス等の金属材料が用いられることが多い。したがって、棚板が重くなり、特に棚板面積の大きい環境試験器では、一人では支えきれなくなる場合がある。
【００１０】
また、奥行きが深い内部槽の棚板を引き出す場合には、引き出す長さが長くなり、棚板の引き出し作業が特に困難である。
【００１１】
そして、棚板を分割して、１つ１つの棚板を取り扱いやすい重さとすることが考えられる。しかし、棚板は左右両側面に設けられた棚板支持部により支持されているので、棚板を分割するには奥行き方向に配列するように分割するしかないが、このように分割すると、奥に位置する棚板の出し入れが困難となってしまう。
【００１２】
そこで、本発明は、棚部材の取り扱いが容易である環境試験器などに用いることができる棚構造を提供することを課題とする。
【課題を解決するための手段】
【００１３】
そして、上記した目的を達成するための請求項１に記載の発明は、開口を有する内部槽内に、複数の分割棚部材からなる棚部材と、内部槽に突出する棚部材支持部とが設けられており、前記分割棚部材が所定の面を形成するように棚部材支持部の上に載置される棚構造であって、分割棚部材は開口から奥に向かって挿入可能であって挿入方向に配列し、隣接する分割棚部材と連結可能であり、隣接する２つの分割棚部材のうち奥側に配置される分割棚部材の開口側には奥側係合部が設けられ、隣接する２つの分割棚部材のうち開口側に配置される分割棚部材の奥側には開口側係合部が設けられ、奥側係合部又は開口側係合部には傾斜部及び凹部が設けられ、開口側の分割棚部材を内部槽に挿入して奥側の分割棚部材に当接させると、前記傾斜部によっていずれかの係合部が上動又は下動して他方の係合部が前記凹部に入り、奥側係合部と開口側係合部との係合が行われることを特徴とする棚構造である。
【００１４】
ここで、傾斜部はその傾きが一定であるような平面状であってもよく、また、傾きが一定でなく変化するような曲面状であってもよい。
また、分割棚部材が３枚以上設けられた棚部材の場合は複数の場所で２つの分割棚部材が隣接する。そして、この場合における奥側係合部及び開口側係合部の配置については、任意の隣接する２つの分割棚部材の関係により決まるものであり、全体における分割棚部材の配置には影響しない。この場合にも、奥側係合部が隣接する２つの分割棚部材の内の奥側に配置される分割棚部材の開口側に位置し、開口側係合部が隣接する２つの分割棚部材の内の開口側に配置される分割棚部材の奥側に位置する。
【００１５】
請求項１に記載の発明によれば、分割棚部材の奥側係合部又は開口側係合部には傾斜部及び凹部が設けられて、開口側の分割棚部材を奥側の分割棚部材に当接させると、他方の係合部は前記傾斜部と接触することによりいずれかの係合部が上動又は下動し、他方の係合部が前記凹部に入り、隣接する分割棚部材と連結可能であるので、内部槽内に棚部材があるときには係合し、取り出した際には係合を解いて分割することができる。
【００１６】
請求項２に記載の発明は、他方の係合部は分割棚部材の縁に設けられた枠部であることを特徴とする請求項１に記載の棚構造である。
【００１７】
請求項２に記載の発明によれば、奥側係合部又は開口側係合部の凹部に入る他方の係合部は、分割棚部材の縁に設けられた枠部であるので、分割棚部材の係合部を容易に設けることができる。
【００１８】
請求項３に記載の発明は、他方の係合部が前記凹部に入って係合が行われると、奥側係合部が開口側係合部の上側を押さえる状態となることを特徴とする請求項１又は２に記載の棚構造である。
【００１９】
請求項３に記載の発明によれば、他方の係合部が前記凹部に入って係合が行われると、奥側係合部が開口側係合部の上側を押さえる状態となるので、棚を抜くとき開口側の棚部材を下げて外すことができ、係合を解くことが容易である。
【００２０】
請求項４に記載の発明は、突出部と傾斜部を有する係合部材が設けられており、前記係合部材は隣接する他の分割棚部材側に配置されており、前記突出部と分割棚部材の縁に設けられた枠部との間が凹部となって、奥側係合部又は開口側係合部を形成することを特徴とする請求項１〜３のいずれかに記載の棚構造である。
【００２１】
請求項４に記載の発明によれば、突出部と傾斜部を有する係合部材を用いて、傾斜部と、奥側係合部又は開口側係合部となる凹部を形成することができるので、製作が容易である。
【００２２】
請求項５に記載の発明は、係合部材は上下方向に移動できることを特徴とする請求項４に記載の棚構造である。
【００２３】
請求項５に記載の発明によれば、係合部材は上下方向に移動できるので、開口側の分割棚部材を奥側の分割棚部材に当接させた場合に、係合部材のみを移動させることができるので、棚部材の振動を小さくすることができる。
【００２４】
請求項６に記載の発明は、係合部材は棚の下側に配置していることを特徴とする請求項４又は５に記載の棚構造である。
【００２５】
請求項６に記載の発明によれば、係合部材は棚の下側に配置しているので、使用時に棚上に物を置く際に邪魔になりにくい。
【発明の効果】
【００２６】
本発明の棚構造を用いることにより、棚部材の挿入、取り出しを容易とすることができる。
【発明を実施するための最良の形態】
【００２７】
以下さらに本発明の具体的実施例について説明する。図１は、本発明の環境試験器の扉を開いた状態の斜視図である。図２、図３は環境試験器の内部槽内を示した斜視図である。図４、図５は、分割棚部材を示した斜視図である。図６〜図１２は、分割棚部材のＡ−Ａ断面図である。図１３〜図２５は、変形例における分割棚部材の断面図である。
【００２８】
本発明の第１の実施形態の棚構造を有する環境試験器１は、図１〜図３に示されている。そして環境試験器１には、本体部１０、扉部１１、棚部材支持部１２及び棚部材１３が設けられている。
【００２９】
本体部１０には開口１５が設けられた内部槽１０ａを有しており、扉部１１を閉じることにより内部槽１０ａをほぼ密閉状態とすることができる。また、図示していないが、本体部１０と扉部１１とを閉じた状態で固定することができる固定部材が設けられている。
なお、本体部１０には、通常のものと同様に、内部槽１０ａ内を所定の条件とするための、加熱器、冷却器、加湿器、除湿器や、内部槽１０ａ内部の気体を循環させる送風機などが設けられている。
【００３０】
環境試験器１の外観は直方体状であり、本体部１０には、上面１６、側面１７、下面１８を有している。そして、側面１７は３つの面が設けられ、本体部１０の側面１７と扉部１１によって上面１６と下面１８をつなぐ環境試験器１の直方体状の４側面を形成している。
上面１６、側面１７、下面１８及び扉部１１は所定の厚みを有しており、その内部には断熱材などが配置されている。また、内部槽１０ａの形は、直方体形状に近い形状である。
【００３１】
また、本体部１０の開口１５は、扉部１１に相当する位置に設けられており、開口１５から内部槽１０ａ内部へは水平方向に向かうように配置されている。
【００３２】
棚部材支持部１２は、内部槽１０ａの内側に突出した部分であって、側面１７に取り付けられている。そして棚部材支持部１２は、開口１５に隣接する２つの側面１７に２カ所設けられ、互いの棚部材支持部１２は対向するような配置である。そして、棚部材支持部１２は水平方向であって、上面１６や下面１８に平行な方向に延びている。
【００３３】
また、２つの棚部材支持部１２は、同じ高さに取り付けられており、上からの荷重を支えることができる。したがって、後述するように、棚部材１３と棚部材１３上に載せられる試料を支えることができる。
なお、環境試験器１の棚部材支持部１２は、両側の棚部材支持部１２が同じ高さとなるように、図示した位置以外の高さにも設けることができるので、棚部材１３の位置を変更したり、棚を多段設けることもできる。
【００３４】
図２は、内部槽１０ａの内部の棚部材１３の状態を示したものである。そして、棚部材１３は、２つの棚部材支持部１２の上に載せられている。この状態では、棚部材１３の面は、上面１６、下面１８と平行であって水平状態となっていて、試料を棚部材１３の上に置いても安定する。
【００３５】
棚部材１３は、２つの分割棚部材２５，２６からなっており、隣接している。そして、内部槽１０ａの奥側に配置される分割棚部材２６は図４に示されており、開口側の分割棚部材２５は図５に示されている。
【００３６】
開口側の分割棚部材２５及び奥側に配置される分割棚部材２６は、平面板の網状であってこれらの形状はほぼ同じである。また、分割棚部材２６の形状は、内部槽１０ａの上側からの投影面を奥行き方向の中間部分でほぼ２等分した長方形状である。そして、分割棚部材２５、２６を隣接して設置することで、棚部材１３は内部槽１０ａの上側からの投影面とほぼ同じ形状となって所定の面を形成する。
【００３７】
図４に示されるように、奥側に配置される分割棚部材２６には、４つの辺３０ａ、３０ｂ、３０ｃ、３０ｄを形成する枠部３０と、１組の対向する枠部３０の辺３０ａ，３０ｃをつなぐように配置された２本の補強部３１、３１と、補強部３１に直交して補強部３１及び枠部３０の辺３０ｂ、３０ｄの上側に設けられる複数の載置部３２からなっている。
【００３８】
そして、枠部３０の辺３０ａ、３０ｂ、３０ｃ、３０ｄと補強部３１は、円形パイプが用いられている。載置部３２は前記枠部３０や補強部３１の円形パイプよりも外径が細い丸棒が用いられている。これらの材質はステンレス製であり、溶接により接合されている。
【００３９】
また、開口１５側に配置される分割棚部材２５は、図５に示されるように、２カ所の係合部材４０と、連結部４１を有するものである。他の部分は上記した分割棚部材２６と同様な構造である。
具体的には、分割棚部材２５の連結部４１は、枠部３０の辺３０ｃに平行であって、辺３０ｂ及び辺３０ｄとに固定されている。また、係合部材４０は、連結部４１及び枠部３０の辺３０ｃの下側で固定され、棚の下側に配置している。したがって、使用するとき、物を棚の上に載せる際に係合部材４０が邪魔にならない。
また、係合部材４０や連結部４１の固定は溶接で行われている。係合部材４０の固定は、板状部４８の部分で行われている。
【００４０】
係合部材４０は、図５、図６などに図示されるように、板状部４８と板状部４８の上側に断面が直角三角形状の突出部４７が設けられた部材である。そして、突出部４７の外側に傾斜部４２が設けられている。傾斜部４２の傾斜方向は、分割棚部材２５を配置する場合に、内部槽１０ａの奥に向かうほど下側となるような傾斜である。
【００４１】
突出部４７は枠部３０の辺３０ｃの外に設けられており、突出部４７と枠部３０の辺３０ｃとの間には隙間が設けられて凹部４５となっている。そして、前記隙間の幅及び、突出部４７の高さは、枠部３０の外径とほぼ等しい。したがって、凹部４５は、他方の分割棚部材２６の枠部３０の辺３０ａを上側から挿入することができ、係合することができる。
【００４２】
そして、この係合により、枠部３０の辺３０ａと凹部４５との水平方向の動きを規制し、分割棚部材２５、２６の水平方向の動きを連動させることができ、係合した状態では、分割棚部材２５、２６同士が離れることはない。
【００４３】
また、分割棚部材２５、２６が設置されると、図３に示されるように、辺３０ａは開口１５側に配置され、辺３０ｃは内部槽１０ａの奥側に配置され、辺３０ｂ、３０ｄは棚部材支持部１２上に配置される。
【００４４】
そして、図２、図３に示すように、分割棚部材２５の辺３０ｃと、分割棚部材２６の辺３０ａとは隣接しており、分割棚部材２５の辺３０ｃ及び係合部材４０による凹部４５が開口側係合部として機能し、また、分割棚部材２６の辺３０ａが奥側係合部として機能する。
【００４５】
この開口側係合部として機能する凹部４５と、奥側係合部として機能する分割棚部材２６の辺３０ａの位置関係を詳しく説明すると、奥側に配置される分割棚部材２６の開口側に奥側係合部である辺３０ａが位置し、開口側に配置される分割棚部材２５の奥側に開口側係合部である凹部４５が位置している。
【００４６】
棚部材１３を棚部材支持部１２上に設置する場合には、まず、図３に示されるように、分割棚部材２６を開口１５から挿入して、棚部材支持部１２に載せる。分割棚部材２６の挿入方向は、枠部３０の辺３０ｃを奥側にし、辺３０ａを開口１５側としている。また、分割棚部材２６の位置は、分割棚部材２６の全体が棚部材支持部１２に載せられた状態であれば、奥まで移動させる必要はない。
【００４７】
次に、分割棚部材２５を開口１５から挿入する。このとき、係合部材４０が設けられている枠部３０の辺３０ｃ側から挿入していく。
そうすると、図６〜図９に示されるように、分割棚部材２５は分割棚部材２６を押しつけながら挿入され、分割棚部材２５を挿入することにより、図２に示される様な状態まで、分割棚部材２５及び分割棚部材２６を挿入して設置することができる。
【００４８】
このように、棚部材１３を所定の棚部材支持部１２に設置する場合には、分割棚部材２５及び分割棚部材２６を別々に取り扱いながら順番に挿入することができる。
【００４９】
また、この分割棚部材２５を挿入する際に、分割棚部材２５の係合部材４０と、分割棚部材２６の枠部３０の辺３０ａを係合させることができる。そして、係合した後は分割棚部材２５を引き出すことにより、分割棚部材２６も引き出すことができる。
すなわち、図７に示されるように、分割棚部材２５を挿入していくと、分割棚部材２６の辺３０ａが傾斜部４２に接触し、一方で、分割棚部材２５の枠部３０の辺３０ｃは棚部材支持部１２に支持された状態となる。さらに挿入すると、図８に示すように、分割棚部材２５の傾斜部４２に乗り上げるようにして分割棚部材２６の辺３０ａが持ち上がる。その後、辺３０ａは凹部４５の上側付近に移動する。
【００５０】
そうして、図９に示されるように、分割棚部材２６の辺３０ａが、分割棚部材２５の係止部４０の傾斜部４２と辺３０ｃとの間に設けられた凹部４５に嵌ることにより係合が行われる。
なお、この状態では、分割棚部材２５の係合部材４０の上側を、分割棚部材２６の辺３０ａが押さえている。
【００５１】
したがって、棚部材１３を設置した状態では、分割棚部材２５、２６同士は係合しているので、容易に分割することはなく、使用中に試料が落ちることはない。
【００５２】
また、棚部材１３を取り出す際には、分割棚部材２５及び分割棚部材２６を別々に取り扱いながら取り出しを行うことができる。
すなわち、分割棚部材２５を引き出して、図１０に示されるような状態とし、さらに、引き出して分割棚部材２５の辺３０ｃが、棚部材支持部１２の端部１２ａを越えて引き出されて、図１１に示されるような状態となると、分割棚部材２５は棚部材支持部１２によっては支持されなくなる。
【００５３】
そして、凹部４５から分割棚部材２６の辺３０ａが抜けることが可能となり、図１２に示されるように、分割棚部材２５を下側に移動することができ、係止部４０と分割棚部材２６の辺３０ａとの係合を解除することができる。
【００５４】
また、分割棚部材２５を係合されている側（辺３０ｃ）を支点として回転することができれば、完全に引き出すことなく取り外しを行うことができる。
【００５５】
上記した実施形態の棚部材１３は、２枚の分割棚部材２５，２６から構成されるものであったが、３枚以上のものを用いて構成してもよい。この場合、分割棚部材同士の係合部分の開口１５側に係合部材４０を設けることにより、奥側の枠部３０の辺３０ａとの係合が可能となる。そして、上記した２枚の分割棚部材２５，２６によって構成された棚部材１３の場合と同様に、全体の押し込み及び引き出しが可能であって、開口１５からの挿入、取り外しを一枚ごとに行うことができる。
【００５６】
また、枠部３０と係合部材４０の構造は、上記した実施形態の構造に限られるものでなく、以下の構造も採用することができる。
例えば、図１３〜図１６に示されるような分割棚部材５５，５６を用いることができる。そして、分割棚部材５６が内部槽１０ａの奥側に配置され、分割棚部材５５が開口１５側に配置されている。そして、傾斜部５２を有する係合部材５７が分割棚部材５６に設けられ、傾斜部５２は枠部３０の辺３０ａよりも外側に配置されている。
【００５７】
そして、棚部材１３を棚部材支持部１２上に設置する場合には、まず、図１３に示されるように、棚部材支持部１２に載せる。このときの挿入方向は、係合部材５７を開口１５側として挿入する。さらに、分割棚部材５５を挿入する。このとき、分割棚部材５５の枠部３０の辺３０ｃは、係合部材５７の傾斜部５２に接触し（図１４）、分割棚部材５６の開口１５側を持ち上げる（図１５）。
【００５８】
さらに、分割棚部材５５を挿入すると、分割棚部材５６の辺３０ａと傾斜部５２との間の隙間５８に、分割棚部材５５の辺３０ｃが入って、係合部材５７と辺３０ｃによって係合が行われる。
【００５９】
また、分割棚部材５５、５６を用いた棚部材１３の取り出しの動作については、上記した実施形態と同様に、分割棚部材５５を棚部材支持部１２の端部１２ａよりも手前に引き出すことにより、係合を解くことができる。
【００６０】
また、図１７〜図２０に示されるような分割棚部材６６を用いることができる。
分割棚部材６６には、回転可能に軸支され、上下動が可能な係合部材６７が設けられている。分割棚部材６６の他の構造は、図１３に示されている分割棚部材５６と同様である。
【００６１】
そして、上記した実施形態では、係合部材４０、５７が固定されているので、係合部材４０、５７の傾斜部４２、５２によって、分割棚部材２６の辺３０ａが上動して分割棚部材２６の全体が傾くものであったが、この分割棚部材６６を用いると、係合部材６７が回転して、辺３０ａ側の上動が行われるので、分割棚部材６６が傾くことがなく、分割棚部材６６に載置された試料に与える振動を低減させることができる。
【００６２】
さらに、奥側係合部と開口側係合部の構造として、図２１〜図２５に示されるような構造を採用することができる。なお、図２１〜図２５においては、左側が内部槽１０ａの奥側であり、右側が内部槽１０ａの開口側である。
【００６３】
図２１に示される分割棚部材７０、７１の構造は、開口側の分割棚部材７１の上側に配置された係合部材４０が設けられており、凹部４５は下側に向いている。そして、開口側の分割棚部材７１を内部槽１０ａの奥側に挿入して奥側の分割棚部材７０に当接させると、傾斜部８０によって分割棚部材７１側の辺３０ｃ側が上動して分割棚部材７０側の辺３０ａが凹部４５に入って係合が行われる。
【００６４】
図２２に示される分割棚部材７２、７３の構造は、奥側の分割棚部材７２の下側に配置された係合部材４０が設けられており、凹部４５は上側に向いている。そして、開口側の分割棚部材７３を内部槽１０ａの奥側に挿入して奥側の分割棚部材７２に当接させると、傾斜部８０によって分割棚部材７３側の辺３０ｃ側が上動して凹部４５に入って係合が行われる。
【００６５】
図２３に示される分割棚部材７４、７５の構造は、開口側の分割棚部材７５の下側に配置された係合部材６７が設けられており、凹部４５は上側に向いている。この係合部材６７は、図１７などで示された分割棚部材６６と同様に回転可能に軸支され、上下動が可能である。
また、係合部材６７は図示しないばねによって上向きに付勢されている。そして、開口側の分割棚部材７５を内部槽１０ａの奥側に挿入して奥側の分割棚部材７４に当接させると、傾斜部８０によって係合部材６７が下向きに回転しながら移動し、分割棚部材７４側の辺３０ａが凹部４５に入って係合が行われる。
【００６６】
図２４に示される分割棚部材７６、７７の構造は、奥側の分割棚部材７６の下側に配置された係合部材６７が設けられており、凹部４５は上側に向いている。また、この係合部材６７は、図１７などで示された分割棚部材６６と同様に回転可能に軸支され、上下動が可能である。
また、係合部材６７は図示しないばねによって上向きに付勢されている。そして、開口側の分割棚部材７７を内部槽１０ａの奥側に挿入して奥側の分割棚部材７６に当接させると、傾斜部８０によって係合部材６７が下向きに回転し、分割棚部材７７側の辺３０ｃが凹部４５に入って係合が行われる。
【００６７】
図２５に示される分割棚部材７８、７９の構造は、開口側の分割棚部材７９の上側に配置された係合部材６７が設けられており、凹部４５は下側に向いている。また、この係合部材６７は、図１７などで示された分割棚部材６６と同様に回転可能に軸支され、上下動が可能である。そして、開口側の分割棚部材７９を内部槽１０ａの奥側に挿入して奥側の分割棚部材７８に当接させると、傾斜部８０によって係合部材６７が上向きに回転し、分割棚部材７８側の辺３０ａが凹部４５に入って係合が行われる。なお、係合部材６７をばねによって下向きに付勢して、係合を確実にすることもできる。
【００６８】
上記した実施形態では、環境試験器１の棚構造に採用したものであったが、内部槽１０ａに棚が設けられるものであれば採用することができ、オーブンなどの内部槽１０ａ内の雰囲気を調整することができる装置にも採用することができる。
【図面の簡単な説明】
【００６９】
【図１】環境試験器の扉を開いた状態の斜視図である。
【図２】環境試験器の内部槽内を示した斜視図である。
【図３】環境試験器の内部槽内に、分割棚部材を挿入する状態を示した斜視図である。
【図４】分割棚部材を示した斜視図である。
【図５】分割棚部材を示した斜視図である。
【図６】分割棚部材のＡ−Ａ断面図である。
【図７】分割棚部材のＡ−Ａ断面図である。
【図８】分割棚部材のＡ−Ａ断面図である。
【図９】分割棚部材のＡ−Ａ断面図である。
【図１０】分割棚部材のＡ−Ａ断面図である。
【図１１】分割棚部材のＡ−Ａ断面図である。
【図１２】分割棚部材のＡ−Ａ断面図である。
【図１３】変形例における分割棚部材の断面図である。
【図１４】変形例における分割棚部材の断面図である。
【図１５】変形例における分割棚部材の断面図である。
【図１６】変形例における分割棚部材の断面図である。
【図１７】変形例における分割棚部材の断面図である。
【図１８】変形例における分割棚部材の断面図である。
【図１９】変形例における分割棚部材の断面図である。
【図２０】変形例における分割棚部材の断面図である。
【図２１】変形例における分割棚部材の断面図である。
【図２２】変形例における分割棚部材の断面図である。
【図２３】変形例における分割棚部材の断面図である。
【図２４】変形例における分割棚部材の断面図である。
【図２５】変形例における分割棚部材の断面図である。
【符号の説明】
【００７０】
１    環境試験器
１０ａ  内部槽
１２  棚部材支持部
１３  棚部材
１５  開口
２５、２６、５５、５６、６５、６６  分割棚部材
３０  枠部
４０、５７、６７  係合部材
４２、５２  傾斜部
４５  凹部
４７  突出部
７０、７１、７２、７３、７４、７５、７６、７７、７８、７９  分割棚部材
【図１】
2005224294.tif 000003
【図２】
2005224294.tif 000004
【図３】
2005224294.tif 000005
【図４】
2005224294.tif 000006
【図５】
2005224294.tif 000007
【図６】
2005224294.tif 000008
【図７】
2005224294.tif 000009
【図８】
2005224294.tif 000010
【図９】
2005224294.tif 000011
【図１０】
2005224294.tif 000012
【図１１】
2005224294.tif 000013
【図１２】
2005224294.tif 000014
【図１３】
2005224294.tif 000015
【図１４】
2005224294.tif 000016
【図１５】
2005224294.tif 000017
【図１６】
2005224294.tif 000018
【図１７】
2005224294.tif 000019
【図１８】
2005224294.tif 000020
【図１９】
2005224294.tif 000021
【図２０】
2005224294.tif 000022
【図２１】
2005224294.tif 000023
【図２２】
2005224294.tif 000024
【図２３】
2005224294.tif 000025
【図２４】
2005224294.tif 000026
【図２５】
2005224294.tif 000027